(57)【要約】【課題】油圧ショベルにおいて、メンテナンス作業時等に地上と上部旋回体の上面とのあいだを昇降するときに把持するためのハンドルを設けるにあたり、作業員が安定した状態で容易に昇降できるように設けると共に、ハンドルが周辺物や作業員に当たって邪魔になったり、クローラに付着した泥等がハンドルに付いてしまうような不具合がないようにする。【解決手段】上部旋回体２の側面を形成する収納室右側面６ａに凹部６ｂを形成し、該凹部に、作業員が昇降時に把持するためのハンドル１７を、右側面６ａから外方に突出しないようにして設けた。【選択図】　　　　図４
2004143887.tif 000002
【特許請求の範囲】
【請求項１】
地上と上部旋回体の上面とのあいだを昇降するときに把持するためのハンドルを、上部旋回体の側面に、該側面から外方に突出しないようにして設けたことを特徴とする油圧ショベルにおける昇降用ハンドル構造。
【請求項２】
請求項１において、ハンドルは、上部旋回体の側面に形成された凹部に取り付けられていることを特徴とする油圧ショベルにおける昇降用ハンドル構造。
【請求項３】
請求項１または２において、ハンドルは、作業員が地上から把持できる位置に設けられていることを特徴とする油圧ショベルにおける昇降用ハンドル構造。
【請求項４】
請求項１、２または３において、ハンドルは、作業員が下部走行体に設けられたステップに足を載せた状態で把持できる位置に設けられていることを特徴とする油圧ショベルにおける昇降用ハンドル構造。
【請求項５】
請求項１、２、３または４において、上部旋回体の前面側に手摺りを設ける一方、ハンドルは、片方の手で上記手摺りを把持した作業員が他方の手で把持できる位置に設けられていることを特徴とする油圧ショベルにおける昇降用ハンドル構造。
【請求項６】
請求項１、２、３、４または５において、上部旋回体の左右側面の前後部は、前後端側が左右方向内方に位置するよう円弧状に形成される一方、該円弧状の部位にハンドルを設けたことを特徴とする油圧ショベルにおける昇降用ハンドル構造。
【発明の詳細な説明】
【０００１】
【発明の属する技術分野】
本発明は、油圧ショベルにおいて、メンテナンス時等に作業員が上部旋回体の上面に昇降するときに把持するための油圧ショベルにおける昇降用ハンドル構造の技術分野に属するものである。
【０００２】
【従来の技術】
一般に、油圧ショベルにおいて、エンジンやポンプ等の点検や修理、フィルター交換等のメンテナンス、あるいは燃料補給等の作業を行うにあたり、作業員が上部旋回体の上面に載って作業を行うように構成したものがある。このようなものでは、作業員が上部旋回体の上面に昇降するためのステップや階段を設ける必要があるが、さらに、昇降時に把持する手摺り等を設けることにより、上部旋回体上面への昇降が容易となる。
そこで、従来、上部旋回体の前部にステップを設ける一方、作業員が上記ステップを通ってクローラ上面と上部旋回体の上面とのあいだを昇降する際に把持し易いように、上部旋回体の前部から上面に至るように配された手摺りが知られている（例えば、特許文献１参照。）。このものは、作業員が下部走行体の側面フレームに設けられたステップを通って地上とクローラ上面とのあいだを昇降する際に把持する手摺りとしても、用いることができる。
一方、油圧ショベルのなかには、上部旋回体の旋回半径が小さくなるように設計された小旋回形の機種があるが、この様な小旋回形の油圧ショベルにおいても、上部旋回体の前部から上面に至るように配された手摺りを取付けたものが知られている。この場合、小旋回形の上部旋回体の左右側面の前後部は円弧状になっているため、上部旋回体の前方側に配される手摺り部分は、小旋回形でない油圧ショベルに設けられた手摺りと比べて、クローラの左右方向内方側に位置するように取付けられる（例えば、特許文献２参照。）。
また、作業員が油圧ショベルの運転室に乗込む際に把持できるように、旋回フレームの外側面に昇降用把手を突設したものも知られている（例えば、特許文献３参照。）。
【０００３】
【特許文献１】
特開２００１−３２９５６９号公報（図１、図２、図３）
【特許文献２】
意匠登録第１１５０５１１号公報（背面図、平面図、左側面図）
【特許文献３】
特開平１０−１５７９７８号公報
【０００４】
【発明が解決しようとする課題】
ところで、近年、狭所での作業効率を向上させるべく、小型の機種だけでなく中型の機種においても、上部旋回体の左右側面の前後部を円弧状に形成して旋回半径をできるだけ小さくすることが提唱されている。この様な油圧ショベルにおいて、前記特許文献１および特許文献２に示されるような手摺りを取付けた場合、上部旋回体の前方側の手摺り部分は、クローラの左右外方側にいる作業員にとって、クローラの左右外端位置よりもかなり内方側となる。このため、この手摺りを、作業員が地上から下部走行体の側面フレームに設けられたステップを通ってクローラ上面に昇るときに把持しようとすると、体が前方に大きく傾いた状態になってバランスが悪く、安定した状態での昇降ができないという問題がある。
これに対し、特許文献３に示される把手は、旋回フレームの側面から突出するように設けられているため、地上から下部走行体の側面フレームに設けられるステップを通ってクローラ上面に昇るときに把持しやすいという利点がある。しかしながらこの把手は、旋回フレームの側面から突出しているため、把手とクローラ上面との間隔を少しばかり広く設定しても、クローラに付着した泥等が把手に付着しやすいことには変わりなく、作業員が把手を把持しようとしたときに把持しずらいという問題が依然としてある。さらに、旋回フレームの側面から突出する把手は、周辺物や作業員に当りやすく邪魔になるという問題もあり、これらに本発明が解決しようとする課題があった。
【０００５】
【課題を解決するための手段】
本発明は、上記の如き実情に鑑み、これらの課題を解決することを目的として創作されたものであって、地上と上部旋回体の上面とのあいだを昇降するときに把持するためのハンドルを、上部旋回体の側面に、該側面から外方に突出しないようにして設けたものである。
そして、この様にすることにより、上部旋回体の上面への昇降が安定した状態で容易に行えると共に、ハンドルが周辺物や作業員に当たって邪魔になったり、クローラに付着した泥等がハンドルに付いてしまうような不具合を回避できる。
このものにおいて、ハンドルは、上部旋回体の側面に形成された凹部に取り付けることにより、上部旋回体の側面から外方に突出しない構成にすることができる。
また、ハンドルは、作業員が地上から把持できる位置に設けることにより、地上からクローラ上面への昇降時に有用となる。
さらに、ハンドルは、作業員が下部走行体に設けられたステップに足を載せた状態で把持できる位置に設けることにより、地上から上記ステップを使ってクローラ上面に昇降するときに有用となる。
またさらに、上部旋回体の前面側に手摺りを設ける一方、ハンドルは、片方の手で上記手摺りを把持した作業員が他方の手で把持できる位置に設けることにより、両手で手摺りおよびハンドルを把持できることになって、より安定した状態での昇降を行える。
さらにまた、上部旋回体の左右側面の前後部が、前後端側が左右方向内方に位置するよう円弧状に形成されているものにおいては、該円弧状の部位にハンドルを設けることができる。
【０００６】
【発明の実施の形態】
次に、本発明の実施の形態を図面に基づいて説明する。図面において、１は油圧ショベルであって、該油圧ショベル１は、クローラ式の下部走行体２、該下部走行体２に旋回自在に支持される上部旋回体３、該上部旋回体３に装着されるフロントアタッチメント４等の各部から構成されている。
【０００７】
前記上部旋回体３は、本実施の形態では、中央前部にフロントアタッチメント４の基端部が取り付けられており、該フロントアタッチメント４の左方にはキャブ５が配され、またフロントアタッチメント４の右方にはバルブ等の機器類（図示せず）やペール缶、工具等が収納される収納室６が配され、さらに該収納室６の後方には燃料タンク７および作動油タンク８が配されている。また、上部旋回体３の後部には、エンジン、油圧ポンプ、ラジエータ等の機械装置類（図示せず）が収納される機械室９が配され、さらに該機械室９の後方にはカウンタウエイト１０が取付けられている。
【０００８】
而して、上部旋回体３の右側面は、収納室６、燃料タンク７および機械室９の右側面によって形成され、また上部旋回体３の左側面は、キャブ５および機械室９の左側面によって形成されているが、この場合、上部旋回体３の左右側面の前後部は、前後端側が左右方向内方に位置するよう円弧状に形成されており、これによって上部旋回体３の前端旋回半径および後端旋回半径が小さくなるように設計されている。
【０００９】
また、前記燃料タンク７、作動油タンク８、機械室９およびカウンタウエイト１０の上面は略面一状になっていて、上部旋回体３の上面を形成している。そして作業員は、上部旋回体３の上面に載った状態で、機械室９に収納される機械装置類の点検や修理、フィルター交換等のメンテナンスや燃料補給等の作業を行うことができるようになっている。また、収納室６の上面は、キャブ５内のオペレータの機体右方の視界が損なわれることがないように上部旋回体３の上面よりも低めの高さに設定されている。
【００１０】
一方、１１は下部走行体２の側面フレーム２ａに取付けられる第一ステップ、１２はフェンダー１３の前面部に取付けられる第二ステップ、１４は収納室６の前面部に取付けられる第三ステップであって、作業員は、地上から第一ステップ１１を使ってクローラ１５の上面に昇り、該クローラ１５の上面から第二ステップ１２、第三ステップ１４を昇って収納室６の上面に達し、さらにここから上部旋回体３の上面に昇ることができるようになっている。
【００１１】
ここで、前述したように、上部旋回体３の左右側面の前後部は、前後端側が左右方向内方に位置するよう円弧状に形成されているため、上部旋回体３の前面側に設けられる第二ステップ１２および第三ステップ１４は、クローラ１５の左右方向外端位置Ａよりも内方（本実施の形態では、クローラ１５の左右方向内端位置Ｂにオーバーラップする位置）に位置している。
【００１２】
また、１６は手摺りであって、該手摺り１６は、フェンダー１３の前面部から収納室６の前方および上方を経由して燃料タンク７の上方に達し、ここから垂下して燃料タンク７の上面に至るように設けられている。この場合、収納室６の前方側の手摺り１６部分は、第二および第三ステップ１２、１４の直ぐ右側、つまりクローラ１５の左右方向外端位置Ａよりも内端位置Ｂに近い位置に配されていて、第二、第三ステップ１２、１４を昇降する作業員が把持しやすいようになっている。
【００１３】
さらに、前記収納室６の右側面６ａは、前述したように、上部旋回体３の右側面を形成していると共に、該右側面６ａの前半部は、前端側が左右方向内方に位置するよう円弧状に形成されているが、該円弧状の部位には機体内方側にへこんだ凹部６ｂが形成されており、該凹部６ｂには、縦方向を向くハンドル（手掛け、把手）１７が収納室右側面６ａから外方に突出しないようにして取付けられている。このハンドル１７の取付位置は、図１〜図４に示す如く、地上にいる作業員が、下部走行体２に設けられた第一ステップ１１に片足を載せ、かつ右手で手摺り１６を把持した状態で、左手でハンドル１７を把持しやすい位置に設定されている。而して、作業員が地上から第一ステップ１１を通ってクローラ１５の上面に昇るときに、片方の手で手摺り１６を他方の手でハンドル１７を把持できることになり、安定した状態で容易に昇ることができるようになっている。
【００１４】
また、前記ハンドル１７が取付けられる凹部６ｂの上面および下面にはスリット６ｃが開設されていて、凹部６ｂ内に浸入した水等が溜まらないように配慮されている。
【００１５】
叙述の如く構成されたものにおいて、機械類の点検や修理、フィルター交換等のメンテナンス、燃料補給等の作業を行うべく上部旋回体３の上面に昇るにあたり、まず、地上から下部走行体２の側面フレーム２ａに設けられた第一ステップ１１を通ってクローラ１５の上面に昇ることになるが、この場合、作業員は、片方の手で上部旋回体３の前面側から上面に至るように配された手摺り１６を把持し、また他方の手で上部旋回体３の右側面前部の円弧状部分に設けられたハンドル１７を把持することにより、安定した状態で容易にクローラ１５の上面に昇ることができる。さらに、クローラ１５の上面からは、フェンダー１３の前面部に取付けられる第二ステップ１２、収納室６の前面部に取付けられる第三ステップ１４、収納室６の上面を通って上部旋回体３の上面まで昇ることができるが、このときには前記手摺り１６を把持することにより、安定した状態で容易に昇ることができる。
【００１６】
この様に、本実施の形態にあっては、ハンドル１７を把持することで地上からクローラ１５の上面への昇降が容易になるが、この場合、ハンドル１７は、上部旋回体２の右側面前部の円弧状部分に設けられていて、作業員が下部走行体２の第一ステップ１１に足をかけ、かつ片方の手で手摺り１６を把持したときに他方の手で把持しやすく、作業員の昇降を補助するハンドルとして有用である。
【００１７】
さらにこのものにおいて、前記ハンドル１７は、上部旋回体２の側面に形成された凹部６ｂに、該側面から外方に突出しないようにして取付けられているから、ハンドル１７が周辺物や作業員に当たって邪魔になる惧れもなく、また、クローラ１５に付着した泥等がハンドル１７に付いてしまうような不具合もない。
【００１８】
尚、前記手摺り１６は、本実施の形態では、作業員が下部走行体２の第一ステップ１１に足をかけた状態で右手を大きく伸ばすと届く位置に設けられているが、例えば作業員の手が届かない位置に手摺り１６が設けられていても、ハンドル１７を把持するだけで地上からクローラ１５の上面への昇降が容易となる。また、手摺り１６がクローラ１５の左右外端位置Ａに近い位置に設けられていても、手摺り１６だけでなくハンドル１７も把持することにより、より安定した昇降を行うことができる。
【００１９】
また、本発明は上記実施の形態に限定されないことは勿論であって、ハンドルは、横方向あるいは斜め方向を向くように取付けても良い。
さらに、上記実施の形態では、凹部６ｂに浸入した水等をスリット６ｃから排出する構成になっているが、例えば、凹部６ｂの下面を、内方側が高位で外方側が低位となるように傾斜した傾斜面にすることで、凹部６ｂ内に浸入した水等を排出する構成にすることもできる。
またさらに、ハンドルは、作業員が地上と機体上面とのあいだを昇降するときに把持するのに適した位置であれば、油圧ショベルの大きさや形状に対応して適宜位置、適宜数設けることができる。
【図面の簡単な説明】
【図１】作業員が地上からクローラ上面にアクセスしている状態を示す油圧ショベルの平面図である。
【図２】作業員が地上からクローラ上面にアクセスしている状態を示す油圧ショベルの正面図である。
【図３】作業員が地上からクローラ上面にアクセスしている状態を示す油圧ショベルの側面図である。
【図４】作業員が地上からクローラ上面にアクセスしている状態を示す油圧ショベルの斜視図である。
【図５】（Ａ）、（Ｂ）は収納室の右側面板の平面図、側面図である。
【図６】（Ａ）、（Ｂ）は収納室の右側面板の正面図、斜視図である。
【図７】（Ａ）、（Ｂ）、（Ｃ）、（Ｄ）は凹部に取付けられたハンドルを示す斜視図、平面図、側面図、正面図である。
【符号の説明】
１　　油圧ショベル
２　　下部走行体
３　　上部旋回体
６ａ　収納室の右側面
６ｂ　凹部
１１　　第一ステップ
１６　　手摺り
１７　　ハンドル
【図１】
2004143887.tif 000003
【図２】
2004143887.tif 000004
【図３】
2004143887.tif 000005
【図４】
2004143887.tif 000006
【図５】
2004143887.tif 000007
【図６】
2004143887.tif 000008
【図７】
2004143887.tif 000009